(57)【要約】【課題】  コマを自分で製作する面白さや楽しさを味わえるようにするとともに、少ない部品点数と単純な部品構成により、容易かつ低コストに実施できるようにする。【解決手段】  コマ本体２とこのコマ本体２の中心から上方及び下方にコマ軸３を設けたコマ１を構成するに際して、コマ本体２から分離したコマ軸３を、上軸部３ｕと下軸部３ｄに分割し、かつ上軸部３ｕと下軸部３ｄの間に、別途用意した盤状のコマ本体２を挟み、かつこのコマ本体２に有する貫通孔２ｓを通して着脱可能に構成する。【選択図】  図１
2005143694.tif 000002
【特許請求の範囲】
【請求項１】
コマ本体とこのコマ本体の中心から上方及び下方にコマ軸を設けたコマにおいて、前記コマ本体から分離したコマ軸を、上軸部と下軸部に分割し、かつ前記上軸部と前記下軸部の間に、別途用意した盤状のコマ本体を挟み、かつこのコマ本体に有する貫通孔を通して着脱可能に構成したことを特徴とするコマ。
【請求項２】
前記上軸部又は前記下軸部は、前記コマ本体に有する貫通孔に対して位置決めを行う位置決め部を有することを特徴とする請求項１記載のコマ。
【請求項３】
前記コマ本体は、ＣＤ，ＤＶＤ等の記録ディスクを用いることを特徴とする請求項１又は２記載のコマ。
【請求項４】
コンピュータ等のパターン作成手段を用いて、前記コマ本体に表示する任意の表示パターンを作成し、この表示パターンを前記コマ本体に直接プリントし又はラベルを貼着して表示することを特徴とする請求項１，２又は３記載のコマ。
【発明の詳細な説明】
【技術分野】
【０００１】
本発明は、子供たちの玩具或いは教材等に用いて好適なコマに関する。
【背景技術】
【０００２】
一般に、子供たちが遊びに用いるコマは広く普及している。通常、コマは、コマ本体とこのコマ本体の中心から上方及び下方にコマ軸を備えており、コマ軸を親指と人差指で回すことにより、コマ本体を回転させて遊ぶことができる。
【０００３】
ところで、コマ本体の上面は中心を支点に回転するため、コマ本体の上面に様々な模様や色を用いたパターンを施せば、回転時にはパターンが変化し、静止時と回転時では、異なる模様や色を楽しむことができる。従来、このようなタイプのコマとしては、特開平１０−５７６３２号公報開示の独楽及び特開２００３−１３５８５８号公報開示の回転遊戯具が知られている。
【０００４】
前者の公報に開示される独楽は、回転時に一部が半透明となり、意匠性と意外性を持たせたものであり、任意の所定方向の中央縦断面とそれ以外の所定方向の中央縦断面とを重ね合わせた時、一方の中央縦断面が、他方の中央縦断面の外形輪郭線よりも内側に外形輪郭線の少なくとも一部を有するような２種以上の中央縦断面形状を有するとともに、一部所定位置における水平断面が、当該水平断面において独楽軸芯から外周までの最長径を半径として得られる仮想円周に囲まれた平面の外周を含む一部が欠損部として構成されることにより、仮想円周よりも内側に外形輪郭線の少なくとも一部を有する形状に構成している。
【０００５】
また、後者の公報に開示される回転遊戯具は、回転中に変化に富んだ模様を現し、視覚的な魅力を大きくし、長時間遊んでも飽きることのないようにしたものであり、外部から見ることができるように設けられ、回転したときに描く軌跡の一部が重なり合い、その重なり合う軌跡相互の色が相違する複数個の発光体と、遠心力に応じて開閉するスイッチとを有する回路を備えている。
【特許文献１】特開平１０−５７６３２号
【特許文献２】特開２００３−１３５８５８号
【発明の開示】
【発明が解決しようとする課題】
【０００６】
しかし、上述した従来のコマは、次のような問題点があった。
【０００７】
第一に、コマ全体が予め製作された完成品として提供されるたため、コマを自分で製作する面白さや楽しさを味わうことができない。
【０００８】
第二に、コマに付加される模様や色を用いたパターンも予め決められていたり或いは変更するにも限られたものとなるため、多様性及び発展性に劣る。
【０００９】
第三に、部品点数が多くなったり構成的及び形状的に複雑化する傾向にあるため、コスト的に不利となる。
【００１０】
本発明は、このような背景技術に存在する課題を解決したコマの提供を目的とするものである。
【課題を解決するための手段】
【００１１】
本発明は、上述した課題を解決するため、コマ本体２とこのコマ本体２の中心から上方及び下方にコマ軸３を設けたコマ１を構成するに際して、コマ本体２から分離したコマ軸３を、上軸部３ｕと下軸部３ｄに分割し、かつ上軸部３ｕと下軸部３ｄの間に、別途用意した盤状のコマ本体２を挟み、かつこのコマ本体２に有する貫通孔２ｓを通して着脱可能に構成したことを特徴とする。
【発明の効果】
【００１２】
このような構成を有する本発明に係るコマ１は、次のような顕著な効果を奏する。
【００１３】
（１）  コマ本体２から分離した上軸部３ｕと下軸部３ｄを有するコマ軸３を利用するため、別体となるコマ本体２を任意に選定してコマ１を製作することができ、コマ１を自分で製作する面白さや楽しさを味わうことができる。
【００１４】
（２）  基本的には、上軸部３ｕと下軸部３ｄを有するコマ軸３を用意すれば足りるため、少ない部品点数と単純な部品構成により、容易かつ低コストに実施できる。
【発明を実施するための最良の形態】
【００１５】
本発明に係るコマ１によれば、最良の形態により、下軸部３ｄ（又は上軸部３ｕ）には、コマ本体２に有する貫通孔２ｓに対して位置決めを行う位置決め部１１を設ける。これにより、下軸部３ｄ（又は上軸部３ｕ）とコマ本体２間の正確な位置決め（芯出し）を行うことができ、精度の高いコマ１を容易に製作できる。
【００１６】
一方、コマ本体２には、ＣＤ，ＤＶＤ等の記録ディスク１２を用いることができる。ＣＤ，ＤＶＤ等の記録ディスク１２は、広く一般に普及しているため、容易に入手できるとともに、不要になる場合も少なくないため、用途を変えたリサイクルが可能になり、しかも、加工を施すことなくそのまま利用できる。また、コンピュータ１３ｐ等のパターン作成手段１３を用いて、コマ本体２に表示する任意の表示パターンＰを作成し、この表示パターンＰをコマ本体２に直接プリントし又はラベル１４を貼着して表示することができる。これにより、模様や色を用いた多種多様のオリジナルな表示パターンＰを自由に作成することができ、多様性及び発展性に優れるとともに、学校や各種施設等における教材に用いても好適となる。
【実施例】
【００１７】
次に、本発明に係る好適な実施例を挙げ、図面に基づき詳細に説明する。
【００１８】
まず、本実施例に係るコマ１の構成について、図１〜図３を参照して説明する。
【００１９】
コマ１は、大別して、コマ本体２とコマ軸３を備える。コマ軸３は、コマ本体２から分離して別体に構成する。また、コマ軸３は、上下に分割した上軸部３ｕと下軸部３ｄを備え、それぞれアルミニウム等の金属素材或いはプラスチック素材等の硬質素材により形成するとともに、上軸部３ｕと下軸部３ｄの間には、別途用意した盤状のコマ本体２を挟み、かつこのコマ本体２に有する貫通孔２ｓを通して着脱可能に構成する。
【００２０】
上軸部３ｕは、図１に示すように、円柱状（丸棒状）に形成した上軸本体部２１と、この上軸本体部２１の下端に一体形成した偏平円筒状の上結合部２２を有する。この場合、上軸本体部２１の外周面には、滑り止めの凹凸処理部２１ｓを設けるとともに、上結合部２２は、上軸本体部２１よりも大径に形成し、内周面には、雌ネジ部２３を形成する。
【００２１】
下軸部３ｄは、円錐体を反転させた形状の下軸本体部２４と、この下軸本体部２４の上端に一体形成した偏平円柱状の下結合部２５を有する。この場合、下結合部２５における下部分は、後述するコマ本体２に有する貫通孔２ｓに対して位置決めを行う位置決め部１１として形成するとともに、下結合部２５における上部分の外周面には、雄ネジ部２６を形成する。この雄ネジ部２６は、上述した雌ネジ部２３に螺合する。
【００２２】
一方、コマ本体２には、ＣＤ，ＤＶＤ等の記録ディスク１２を用いる。記録ディスク１２を利用する場合、上述した位置決め部１１の外径寸法は、記録ディスク１２の中心に形成される貫通孔２ｓの内径寸法を考慮して設定できる。コマ本体２に、このようなＣＤ，ＤＶＤ等の記録ディスク１２を用いれば、加工を施すことなくそのまま利用できる利点がある。また、ＣＤ，ＤＶＤ等は、広く一般に普及しているため、容易に入手できるとともに、不要になる場合も少なくないため、いわば用途を変えたリサイクルが可能になる利点がある。なお、このような記録ディスク１２の利用が望ましいが、コマ本体２は、盤状に形成されたものであれば、基本的に何でも利用することができる。したがって、厚紙，木板，プラスチック板，金属板等の任意の素材により形成した盤状のものを必要により加工して利用できる。この場合、コマ本体２の外郭形状は、必ずしも円形であることを要せず、多角形や花びら形状等の任意の形状を選定できる。また、中心には、位置決め部１１が嵌合する貫通孔を形成する。
【００２３】
さらに、コマ本体２の上面には、図３に示すように、任意に作成した表示パターンＰを直接プリントし又はラベル１４を貼着して表示する。この場合、任意の表示パターンＰは、図４に例示するようなコンピュータ１３ｐを用いたパターン作成システム（パターン作成手段）１３により作成することができる。
【００２４】
図４において、１３ｐは、コンピュータであり、一般的なパソコンを利用できる。コンピュータ１３ｐの内部メモリ３１には、表示パターンＰを作成するためのアプリケーションプログラム（作成プログラム）３２がインストールされているとともに、表示パターンＰを作成するための各種データベース３３が登録されている。また、コンピュータ１３ｐの出力ポートに接続したプリンタ３４及びディスプレイ３５等の出力機器を備えるとともに、コンピュータ１３ｐの入力ポートに接続したキーボードやマウス等の入力部３６を備える。
【００２５】
次に、このようなパターン作成システム１３を用いた本実施例に係るコマ１の製作方法について、図１〜図４を参照しつつ図５に示すフローチャートを参照して説明する。
【００２６】
まず、前述したコマ軸３（上軸部３ｕ及び下軸部３ｄ）と、不要になったＣＤ，ＤＶＤ等の記録ディスク１２を用意する。
【００２７】
一方、パターン作成システム１３のコンピュータ１３ｐを起動し、作成プログラム３２を立上げる（ステップＳ１，Ｓ２）。そして、データベース３３から基本態様のパターンを読み出してディスプレイ３５に表示する（ステップＳ３）。この場合、データベース３３には、基本態様に係る各種パターン、例えば、面白い変化をするパターンや視覚的かつ科学的な教材として使用できるパターン等が、基本態様として予め多数登録されており、作成者は、記録ディスク１２用に登録された任意のパターンを選択して読み出すことができる。勿論、単なる無模様の円形を表示し、この中に自由に描き込むことができるようにしてもよい。これにより、作成者は、ディスプレイ３５を見ながら入力部３６を操作し、基本態様のパターンに、予め登録されている具体的な模様（形状）や色等から選択した各種材料を付加することによりオリジナルの任意の表示パターンＰを作成することができる（ステップＳ４）。
【００２８】
図３は、作成した表示パターンＰの一例を示している。他方、表示パターンＰの作成が終了したなら、プリンタ３４からプリントアウトする（ステップＳ５，Ｓ６）。実施例のように、記録ディスク１２を用いる場合には、専用のラベル用紙３７が各種市販されているため、当該ラベル用紙３７にプリントアウトする。プリントアウトが終了したなら、プリントしたラベル用紙３７からラベル１４を剥がし、記録ディスク１２の上面（片面）に貼付ける（ステップＳ７）。これにより、オリジナルの表示パターンＰが表示されたコマ本体２を製作することができる。
【００２９】
次いで、製作したコマ本体２にコマ軸部３を装着する（ステップＳ８）。この場合、コマ本体２に有する貫通孔２ｓに対して、下方向（図１中、矢印Ｆａ方向）から下軸部３ｄの下結合部２５を挿入するとともに、コマ本体２の上方に突出した下結合部２５の雄ネジ部２６に対して、上方向（図１中、矢印Ｆｂ方向）から上軸部３ｕにおける上結合部２２の雌ネジ部２３を螺着する。これにより、図２に示すように、コマ本体２は、上軸部３ｕと下軸部３ｄ間に挟まれた状態で一体化されるとともに、上軸部３ｕと下軸部３ｄは、貫通孔２ｓを通して結合（装着）される。この際、下軸部３ｄに設けた位置決め部１１とコマ本体２に有する貫通孔２ｓが嵌合することにより、正確な位置決め（芯出し）が行われ、精度の高いコマ１が容易に得られる。
【００３０】
よって、このような本実施例に係るコマ１は、コマ本体２から分離した上軸部３ｕと下軸部３ｄを有するコマ軸３を利用することにより、別体となるコマ本体２を任意に選定してコマ１を製作できるため、コマ１を自分で製作する面白さや楽しさを味わうことができる。また、基本的には、上軸部３ｕと下軸部３ｄを有するコマ軸３を用意すれば足りるため、少ない部品点数と単純な部品構成により、容易かつ低コストに実施できる。さらに、コンピュータ１３ｐを利用したパターン作成システム１３により任意に表示パターンＰを作成できるとともに、この表示パターンＰをコマ本体２にラベル１４を貼着して表示することができるため、模様や色を用いた多種多様のオリジナルな表示パターンＰを自由に作成することができ、多様性及び発展性にも優れ、特に、視覚的かつ科学的な教材として、学校や各種施設等における児童の教育に用いることができる。
【００３１】
以上、実施例について詳細に説明したが、本発明は、このような実施例に限定されるものではなく、細部の構成，形状，素材，数量等において、本発明の要旨を逸脱しない範囲で、任意に変更，追加，削除することができる。
【００３２】
例えば、実施例は、下軸部３ｄに位置決め部１１を設けた場合を示したが、この位置決め部１１は、上軸部３ｕに設けてもよいし、必ずしも設ける必要はない。一方、コンピュータ１３ｐを利用したパターン作成システム（パターン作成手段）１３により表示パターンＰを作成する例を挙げたが、表示パターンＰを作成し、かつコマ本体２に表示できるものであれば、任意のパターン作成手段１３を用いることができる。また、表示パターンＰをコマ本体２にラベル１４により貼着して表示する例を挙げたが、直接プリントしてもよい。さらに、上軸部３ｕと下軸部３ｄの着脱態様は、例示のネジ方式をはじめ、同様の機能を有する各種手段を利用できる。
【図面の簡単な説明】
【００３３】
【図１】本発明の好適な実施例に係るコマの分解した状態を示す正面図、
【図２】同コマの一部を示す一部断面正面図、
【図３】同コマの平面図、
【図４】同コマの製作に用いるパターン作成システム（パターン作成手段）のブロック構成図、
【図５】同パターン作成システムを用いたパターンの作成方法を説明するためのフローチャート、
【符号の説明】
【００３４】
１      コマ
２      コマ本体
２ｓ    貫通孔
３      コマ軸
３ｕ    上軸部
３ｄ    下軸部
１１    位置決め部
１２    記録ディスク
１３    パターン作成手段
１３ｐ  コンピュータ
１４    ラベル
Ｐ      表示パターン
【図１】
2005143694.tif 000003
【図２】
2005143694.tif 000004
【図３】
2005143694.tif 000005
【図４】
2005143694.tif 000006
【図５】
2005143694.tif 000007